(57)【要約】【課題】遊技者に遊技情報が報知されていることを気が付かせる。【解決手段】遊技に関する遊技情報（ボーナスフラグのオン・オフ等）を記憶し、記憶した遊技情報を、ＢＥＴボタンの反応を遅くすることで、間接的に報知する。ＢＥＴボタンにより遊技情報が報知された後、所定回数のゲームの消化すると、ＢＥＴボタンにより遊技情報が報知されていることを、液晶表示装置５により遊技者に示唆する。【選択図】図２
2008048851.tif 000002
【特許請求の範囲】
【請求項１】
遊技の結果に基づいて、有価価値を払い出す有価価値払出手段と、
前記遊技に関する遊技情報を記憶する遊技情報記憶手段と、
記憶した前記遊技情報を、間接的に報知する遊技情報報知手段と、
前記遊技情報報知手段により前記遊技情報が報知された後、所定条件が成立すると、前記遊技情報報知手段により前記遊技情報が報知されていることを、遊技者に示唆する情報示唆手段と
を備えていることを特徴とする遊技機。
【請求項２】
前記遊技情報報知手段により前記遊技情報が報知された後の単位遊技の回数をカウントするカウント手段と、
前記単位遊技の回数が、所定回数以上であるか否かを判定する回数判定手段と
をさらに備え、
前記所定条件は、前記単位遊技の回数が所定回数以上となった場合であることを特徴とする請求項１に記載の遊技機。
【発明の詳細な説明】
【技術分野】
【０００１】
本発明は、例えば、パチスロ遊技装置、パチンコ遊技装置、その他の遊技機に関するものである。
【背景技術】
【０００２】
パチスロ機、パチンコ機等の遊技機は、内部コンピュータによる抽籤の結果に基づいて、様々な遊技状態が発生したり、メダル等の有価価値が払い出されたりする。この内部コンピュータによる抽籤は、予め設定された確率に基づいて行われている。
【０００３】
特許文献１には、予め設定された当籤確率に基づき、通常遊技に比して遊技者に有利な特別遊技を行わせる遊技機において、特別遊技の発生確率を遊技者に報知することにより、遊技者に遊技の楽しさを十分に享受させ得る遊技機が開示されている。この特許文献１により、遊技者は、特別遊技の当籤確率の目安を知ることができるので、遊技機の選択基準とすることができるとともに、特別遊技への期待感も高まって、遊技の楽しさを十分に享受することができるようになる。
【０００４】
【特許文献１】特開２００６−０４３４８４号公報
【発明の開示】
【発明が解決しようとする課題】
【０００５】
ところが、特許文献１のように、様々な態様で遊技情報を報知する遊技機が存在するが、この報知態様は、直接的な報知ではなく、間接的な報知が一般的である。このため、熟練した遊技者とそうでない遊技者との間において、この報知態様の知識量に差があるため、遊技情報が報知されていることに気が付かず、獲得できる有価価値の差がさらに大きくなってしまうおそれがある。
【０００６】
そこで、本発明の目的は、遊技者に遊技情報が報知されていることを気が付かせることができる遊技機を提供することである。
【課題を解決するための手段及び効果】
【０００７】
上記目的を達成するために、本発明は、遊技の結果に基づいて、有価価値を払い出す有価価値払出手段と、遊技に関する遊技情報を記憶する遊技情報記憶手段と、記憶した遊技情報を、間接的に報知する遊技情報報知手段と、遊技情報報知手段により遊技情報が報知された後、所定条件が成立すると、遊技情報報知手段により遊技情報が報知されていることを、遊技者に示唆する情報示唆手段とを備えている。
【０００８】
この構成によると、遊技者に間接的に遊技情報が報知された後に、所定条件が成立すると、遊技情報が報知されていることを遊技者に示唆するようになっている。これにより、遊技者が、遊技情報が間接的に報知されているがために、そのことに気が付かない場合であっても、遊技情報が報知されていることを遊技者に示唆することで、遊技者にそのことを気が付かせることができる場合がある。その結果、遊技者が遊技情報を把握することで、より多くの有価価値を獲得できるようになる場合がある。
【０００９】
また、本発明は、遊技情報報知手段により遊技情報が報知された後の単位遊技の回数をカウントするカウント手段と、単位遊技の回数が、所定回数以上であるか否かを判定する回数判定手段とをさらに備え、所定条件は、単位遊技の回数が所定回数以上となった場合である。
【００１０】
この構成によると、遊技情報が間接的に報知された後、所定回数の単位遊技を消化すると、遊技者に遊技情報が報知されていることを示唆するようになっている。これにより、遊技者が、遊技情報が報知されていることに気が付かないで遊技を行っていても、所定回数の遊技をこなせばそのことに気が付く場合がある。従って、より多くの遊技を行う遊技者に、より多くの利益を与えることができるような遊技機とすることができる場合がある。
【発明を実施するための最良の形態】
【００１１】
本発明の実施の形態を図１ないし図１０に基づいて以下に説明する。
【００１２】
（遊技機の構成）
本実施形態にかかる遊技機は、所謂『パチスロ機』であり、複数の図柄の変動表示を入賞ライン上に停止して表示される図柄に基づいて特定の入賞態様が成立するように、遊技者の操作の検知により変動表示を停止可能に構成されている。尚、遊技機は、コインやメダル、遊技球等の他、遊技者に付与された、若しくは付与される有価価値の情報を記憶したカード等の遊技媒体を用いて遊技するものであるが、以下の説明においては、遊技媒体及び有価価値としてメダルを用いて説明する。
【００１３】
図１は、遊技機１の外観を示す斜視図である。遊技機１の全体を形成しているキャビネット２の正面には、液晶表示装置５が設置されている。液晶表示装置５は、後述するが、液晶表示装置５の背面側に配置された３個のリール３Ｌ・３Ｃ・３Ｒの複数の図柄が視認可能に構成されており、キャラクタ等による演出画像や報知画像等を表示することが可能となっている。尚、本実施形態においては、液晶表示装置５が、リール３Ｌ・３Ｃ・３Ｒの前面に設けられている場合について説明するが、本発明において、液晶表示装置５が設けられる位置は、特に限定されるものではない。
【００１４】
液晶表示装置５の背面側には、変動表示手段としての３個のリール３Ｌ・３Ｃ・３Ｒが設けられている。３個のリール３Ｌ・３Ｃ・３Ｒは、それぞれその外周面に複数の図柄からなる図柄列が記されている。図柄列は、「００」〜「２０」のコードナンバーが付された複数種類の図柄からなっている。具体的には、「赤７」、「青７」、「下チリ」、「ベル」、「スイカ」、「Ｒｅｐｌａｙ」及び「上チリ」の図柄からなっている。各リールは、定速回転（例えば８０回転／分）で回転する。上記の図柄列中における「赤７」、「青７」は、特定の入賞態様を構成するものとして設定されている。ここで、特定の入賞態様とは、後述のＢＢ（ビッグボーナス）やＲＢ（レギュラーボーナス）のボーナスが成立する入賞態様を意味する。
【００１５】
リール３Ｌ・３Ｃ・３Ｒの各図柄は、図２に示すように、キャビネット２の正面から液晶表示装置５を介して、リール３Ｌ・３Ｃ・３Ｒの図柄が縦方向に３つずつ、合計９つの図柄が視認できるようになっている。また、視認可能な９つの図柄の停止位置に対応して、５本の入賞ラインが設定されている。即ち、上下方向に３つ並ぶ図柄を水平に横切るトップライン８ｂ、センターライン８ｃ及びボトムライン８ｄ、斜め方向に横切るクロスダウンライン８ａ、クロスアップライン８ｅが設けられている。
【００１６】
これらの入賞ラインは、後述の１−ＢＥＴボタン１１、最大ＢＥＴボタン１２を操作すること、或いはメダル投入口２２にメダルを投入することにより、１枚賭け時は１本（センターライン８ｃのみ）、２枚賭け時（１−ＢＥＴボタン１１を２回操作（押圧）又は、メダルを２枚投入）は３本（センターライン８ｃに加え、センターライン８ｂ、ボトムライン８ｄ）、最大枚数（本実施例では３枚）賭け時は５本（２枚賭け時の３本に加え、クロスダウンライン８ａ、クロスアップライン８ｅ）が有効化される。入賞ライン８ａ〜８ｅは、役の入賞の成否に関わる。具体的には、所定の役に対応する図柄組み合せを構成する図柄が何れかの有効化された入賞ラインに対応する所定の位置に並んで停止表示されることにより、所定の役の入賞が成立することとなる。以下の説明において、有効化された入賞ラインを有効ラインと言う場合がある。
【００１７】
液晶表示装置５の左側の背面側には、遊技開始表示ランプ２５、当り表示ランプ（所謂「ＷＩＮランプ」）１７、メダル投入ランプ２４、１−ＢＥＴランプ９ａ、２−ＢＥＴランプ９ｂ及び最大ＢＥＴランプ９ｃの各種ランプと、払出枚数表示部１８、クレジット表示部１９及び役物作動（ボーナス）回数表示部２０の各種表示部とが設けられている（図２参照）。これらランプ及び表示部も、リール３Ｌ・３Ｃ・３Ｒと同様に、キャビネット２の正面から液晶表示装置５を介して、視認できるようになっている。
【００１８】
１−ＢＥＴランプ９ａ、２−ＢＥＴランプ９ｂ及び最大ＢＥＴランプ９ｃは、一のゲーム（単位遊技）を行うために賭けられたメダルの数（以下、ＢＥＴ数ともいう）に応じて点灯する。尚、一のゲームは、全てのリールが停止したとき、又は、メダルの払い出しが行われる場合には、メダルが払い出されたときに終了する。
【００１９】
ＷＩＮランプ１７は、ＢＢ又はＲＢの入賞が成立した場合に点灯する。メダル投入ランプ２４は、メダルの投入が受け付け可能であるときに点滅する。遊技開始表示ランプ２５は、入賞ライン８ａ〜８ｅの少なくとも１本が有効化されたときに点灯する。
【００２０】
払出枚数表示部１８は、入賞成立時のメダルの払出枚数を表示するものであり、クレジット表示部１９は、貯留されているメダルの枚数を表示するものであり、ボーナス回数表示部２０は、ＲＢゲーム可能回数及びＲＢゲーム入賞可能回数等を表示する。これらの表示部は、７セグメント表示器からなるものである。
【００２１】
液晶表示装置５の下方には、水平面を有する台座部１０が形成されており、台座部１０の右側には、メダル投入口２２が設けられ、台座部１０の左側には、１−ＢＥＴボタン１１及び最大ＢＥＴボタン１２が設けられている。１−ＢＥＴボタン１１は、１回の押し操作により、クレジットされているメダルのうちの１枚をゲームへの賭け枚数とし、２回の押し操作により、クレジットされているメダルのうちの２枚をゲームへの賭け枚数とする。最大ＢＥＴボタン１２は、１回のゲームに賭けることが可能な最大枚数（本実施例では、３枚）をゲームへの賭け枚数とする。このＢＥＴボタン１１・１２を操作することで、上述の入賞ライン８ａ〜８ｅが有効化されるようになっている。
【００２２】
台座部１０の前面部の左寄りには、遊技者が遊技で獲得したメダルのクレジット／払い出しを押し操作により切り替える貯留メダル精算ボタン１４（以下、Ｃ／Ｐボタン１４と言う）が設けられている。このＣ／Ｐボタン１４の切り替えにより「払い出し」が選択された場合には、正面下部のメダル払出口１５からメダルが払い出され、払い出されたメダルはメダル受部１６に溜められる。一方、「クレジット」が選択された場合には、遊技機１が備えるメモリ（例えば、後述するＲＡＭ３３等）にメダル数がクレジットとして記憶される。
【００２３】
Ｃ／Ｐボタン１４の右側には、遊技者の操作によりリール３Ｌ・３Ｃ・３Ｒを回転させるためのスタートレバー６が所定の角度範囲で回動自在に取り付けられている。台座部１０の前面部中央には、３個のリール３Ｌ・３Ｒ・３Ｃの回転をそれぞれ停止させるための３個の停止ボタン７Ｌ・７Ｃ・７Ｒが設けられている。
【００２４】
キャビネット２の上方の左右には、スピーカ２１Ｌ・２１Ｒが設けられ、その２台のスピーカ２１Ｌ・２１Ｒの間には、入賞図柄の組み合せ及びメダルの配当枚数等を表示する配当表パネル２３が設けられている。また、スピーカ２１Ｌ・２１Ｒや配当表パネル２３の上方にはＬＥＤランプ２９が設けられており、遊技状態に応じた演出に伴い、点滅等するようになっている。
【００２５】
（液晶表示装置）
ここで、液晶表示装置５の構造について説明する。液晶表示装置５は、図３及び図４に示すように、保護ガラス５２と表示板５３とからなる正面パネル５１、透明液晶パネル５４、導光板５５、反射フィルム５６、所謂白色光源である蛍光ランプ５７ａ・５７ｂ、５８ａ・５８ｂ、ランプホルダ５９ａ〜５９ｈ、及び、透明液晶パネル駆動用のＩＣを搭載したテーブルキャリアパッケージ（ＴＣＰ）からなり、ＴＣＰは、透明液晶パネル５４の端子部に接続したフレキシブル基板（図示せず）等により構成される。この液晶表示装置５は、既に述べたように、リール３Ｌ・３Ｃ・３Ｒより手前側に設けられている。また、このリール３Ｌ・３Ｃ・３Ｒと液晶表示装置５とは、所定の間隔をあけて設けられている。
【００２６】
保護ガラス５２及び表示板５３は、透明な部材で構成されている。表示板５３には、上述のＢＥＴランプ９ａ〜９ｃ等に対応する位置に絵柄等が形成されている。すなわち、表示板５３の絵柄等が形成されている領域が、正面パネル５１における絵柄形成領域５１ｂであり、表示板５３の絵柄等が形成されていない領域が、正面パネル５１における表示窓５１ａである（図２参照）。なお、正面パネル５１に絵柄形成領域５１ｂを形成せず、正面パネル５１の全面を表示窓５１ａとしてもよい。この場合、表示板５３に絵柄を形成しないか、又は、表示板５３を省略すればよい。なお、表示板５３の裏面側に配置される各種ランプ及び各種表示部を動作させる電気回路等は図示していない。
【００２７】
透明液晶パネル５４は、薄膜トランジスタ層が形成されたガラス板等の透明な基板と、これに対向する透明な基板との間隙部に液晶が封入されて形成されている。この透明液晶パネル５４の表示モードは、ノーマリーホワイトに設定されている。ノーマリーホワイトとは、液晶を駆動していない状態で白表示（表示面側に透過した光が外部より視認可能である）となる構成である。ノーマリーホワイトに構成された透明液晶パネル５４を採用することにより、液晶を駆動することができない事態が生じた場合であっても、リール３Ｌ・３Ｃ・３Ｒに表示された図柄等の識別情報の可変表示及び停止表示を視認することができ、遊技を継続することができる。すなわち、そのような事態が発生した場合でも、リール３Ｌ・３Ｃ・３Ｒに表示された識別情報（例えば、図柄）の変動表示態様及び停止表示態様を中心とした遊技を行うことができる。
【００２８】
導光板５５は、蛍光ランプ５７ａ・５７ｂからの光を透明液晶パネル５４へ導き出す（透明液晶パネル５４を照明する）ためのものであり、透明液晶パネル５４の裏側に設けられ、例えば、２ｃｍ程度の厚さを有するアクリル系樹脂等の透明部材（導光機能を有する）で構成されている。
【００２９】
反射フィルム５６は、例えば、白色のポリエステルフィルムやアルミ薄膜に銀蒸着膜を形成したものが用いられ、導光板３５に導入された光を導光板５５の正面側へ向けて反射させる。この反射フィルム５６は、反射領域５６Ａ及び非反射領域（透過領域）５６Ｂにより構成されている。
【００３０】
蛍光ランプ５７ａ・５７ｂは、導光板５５の上端部及び下端部に沿って配置され、両端はランプホルダ５９により支持されている。この蛍光ランプ５７ａ・５７ｂから照射される光は、反射フィルム５６の反射領域５６Ａで反射して透明液晶パネル５４を照明する。
【００３１】
蛍光ランプ５８ａ・５８ｂは、反射フィルム５６の裏側の上方位置及び下方位置にリール３Ｌ・３Ｃ・３Ｒに向かって配置されている。この蛍光ランプ５８ａ・５８ｂから出てリール３Ｌ・３Ｃ・３Ｒの表面で反射して非反射領域５６Ｂへ入射した光は、透明液晶パネル５４を照明する。
【００３２】
このように、液晶表示装置５においては、蛍光ランプ５７ａ・５７ｂから照射され、反射フィルム５６の反射領域５６Ａで反射した光と、蛍光ランプ５８ａ・５８ｂから照射され、リール３Ｌ・３Ｃ・３Ｒの表面で反射して非反射領域５６Ｂへ入射した光とが、透明液晶パネル５４を照明する。従って、反射フィルム５６の非反射領域５６Ｂに対応する液晶表示装置５の領域は、液晶を駆動しているか否かによって、透明／非透明の状態に切り替わる領域であり、反射フィルム５６の反射領域５６Ａに対応する液晶表示装置の領域は、液晶を駆動しているか否かに拘わらず非透明状態となる。
【００３３】
遊技機１では、液晶表示装置５の一部の領域のみが、透明／非透明の状態に切り替わる領域であるが、本発明の遊技機において、液晶表示装置の表示画面は、その全領域が透明／非透明の状態に切り替わる領域であってもよい。この場合、遊技機１において、液晶表示装置５の全領域を透過状態又は非透過状態に切り替わる領域とする場合、反射フィルム５６を全て非反射領域５６Ｂとするか、反射フィルム５６を省略すればよい。
【００３４】
（液晶表示装置：表示内容）
次に、上記のように構成される液晶表示装置５に表示される表示内容について説明する。液晶表示装置５には、特に図示しないが、キャラクタ等による演出画像を表示する。また、表示窓５１ａの下部であって、視認されるリール３Ｌ・３Ｃ・３Ｒの下方には、キャラクタ等による演出画像とは別に、遊技者に、遊技情報が報知されていることを示唆する画像が表示される。本実施の形態では、ＢＢやＲＢのボーナスに内部当籤している場合、ＢＥＴボタン１１・１２を操作したときの反応が遅くなっている。これにより、遊技者に、ボーナスに内部当籤していることを報知している。尚、ＢＥＴボタンの反応が遅いとは、ＢＥＴボタンを押圧操作されてから、入賞ラインが有効化したり、スタートレバー６の操作を受付可能な状態にしたり、クレジット表示部１９に表示されるメダル枚数を減らしたりするまでの時間が遅いことを意味する。また、内部当籤とは、入賞成立が可能な役をＣＰＵ３１により抽籤することであり、内部当籤した入賞可能な役を内部当籤役という。そして、ＢＢやＲＢに内部当籤した場合、ＢＢやＲＢに入賞するまで当籤した状態（所謂、ボーナスの持ち越し）となる。これらについては、後に詳述する。
【００３５】
そして、ボーナスに内部当籤している状態で所定回数（本実施形態では５回）のゲームが消化されると、図２（ａ）に示すように、「ＢＥＴボタンの反応が遅くない？」という文字画像（以下、第１報知画像という）が表示される。これにより、遊技者に、ＢＥＴボタンの反応が遅くなっていることで遊技情報が報知されていることを間接的に気付かせるようになっている。そして、さらに所定回数（本実施形態では１０回）のゲームが消化されると、図２（ｂ）に示すように、「ボーナスに内部当籤しているよ！」という文字画像（以下、第２報知画像という）が表示される。これにより、遊技者に、ボーナスに内部当籤していることを直接的に気付かせるようになっている。
【００３６】
（遊技機の電気的構成：主制御回路）
上記の遊技機１は、図５に示すように、主基板に設けられた主制御回路７１と、副基板に設けられた副制御回路７２とで動作が制御されている。主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、主基板側記憶手段であるＲＯＭ３２及びＲＡＭ３３を有している。
【００３７】
上記のＣＰＵ３１には、基準クロックパルスを発生するクロックパルス発生回路３４及び分周器３５と、サンプリングされる乱数を発生する乱数発生器３６及びサンプリング回路３７とが接続されている。乱数発生器３６は、一定の数値範囲に属する乱数を発生する。サンプリング回路３７は、スタートレバー６が操作された後の適宜のタイミングで１個の乱数をサンプリングする。そして、ＣＰＵ３１は、これらの乱数発生器３６及びサンプリング回路３７でサンプリングされた乱数及びＲＯＭ３２内に格納されている確率抽籤テーブルに基づいて、内部当籤役を決定するようになっている。
【００３８】
尚、乱数サンプリングのための手段として、マイクロコンピュータ３０内で、即ち、ＣＰＵ３１の動作プログラム上で乱数サンプリングを実行するように構成してもよい。その場合、乱数発生器３６及びサンプリング回路３７は省略可能であり、或いは、乱数サンプリング動作のバックアップ用として残しておくことも可能である。
【００３９】
上記のマイクロコンピュータ３０からの制御信号により動作が制御される主要なアクチュエータとしては、各種ランプ（ＢＥＴランプ９ａ・９ｂ・９ｃ、ＷＩＮランプ１７、メダル投入ランプ２４、遊技開始表示ランプ２５）と、各種表示部（払出枚数表示部１８、クレジット表示部１９、ボーナス回数表示部２０）と、メダルを収納し、ホッパー駆動回路４１の命令により所定枚数のメダルを払出す上述のホッパー（払出しのための駆動部を含む）４０と、リール３Ｌ・３Ｃ・３Ｒを回転駆動するステッピングモータ４９Ｌ・４９Ｃ・４９Ｒとがある。
【００４０】
さらに、ステッピングモータ４９Ｌ・４９Ｃ・４９Ｒを駆動制御するモータ駆動回路３９、ホッパー４０を駆動制御するホッパー駆動回路４１、各種ランプを駆動制御するランプ駆動回路４５、及び各種表示部を駆動制御する表示部駆動回路４８がＩ／Ｏポート３８を介してＣＰＵ３１の出力部に接続されている。これらの駆動回路は、それぞれＣＰＵ３１から出力される駆動指令等の制御信号を受けて、各アクチュエータの動作を制御する。
【００４１】
また、主制御回路７１は、制御指令を発生するために必要な入力信号を発生する入力信号発生手段に接続されている。主な入力信号発生手段としては、スタートスイッチ６Ｓ、１−ＢＥＴスイッチ１１Ｓ、最大ＢＥＴスイッチ１２Ｓ、Ｃ／Ｐスイッチ１４Ｓ、リール停止信号回路４６、リール位置検出回路４７、払出完了信号回路４４がある。これらもＩ／Ｏポート３８を介してＣＰＵ３１に接続されている。
【００４２】
スタートスイッチ６Ｓは、スタートレバー６の操作を検出する。リール停止信号回路４６は、各停止ボタン７Ｌ・７Ｃ・７Ｒの操作に応じて停止信号を発生する。リール位置検出回路４７は、リール回転センサからのパルス信号を受けて各リール３Ｌ・３Ｃ・３Ｒの位置を検出するための信号をＣＰＵ３１へ供給する。払出完了信号回路４４は、メダル検出部４０Ｓの計数値（ホッパー４０から払出されたメダルの枚数）が指定された枚数データに達した時、メダル払出完了を検知するための信号を発生する。
【００４３】
また、主制御回路７１のＲＡＭ３３には、種々の情報が一時的に格納される。例えば、実行中の遊技状態や、投入されたメダルの枚数等が格納される。一方、主制御回路７１のＲＯＭ３２には、スタートレバー６を操作（スタート操作）する毎に行われる乱数サンプリングの判定に用いられる確率抽籤テーブル、停止ボタンの操作に応じてリールの停止態様を決定するための停止テーブル群等の各種のデータテーブルや、副制御回路７２へ送信するための各種制御指令（コマンド）等が格納されている。
【００４４】
（遊技機１の電気的構成：副制御回路）
上記の主制御回路７１は、副制御回路７２にコマンドや情報等を一方向に出力可能に接続されている。副制御回路７２は、図６に示すように、主制御回路７１からの制御指令（コマンド）に基づいて液晶表示装置５の表示制御、及びスピーカ２１Ｌ・２１Ｒからの音やＬＥＤランプ２９からの光の出力制御を行う。この副制御回路７２は、主制御回路７１を構成する主基板とは別の副基板上に構成され、マイクロコンピュータ（以下『サブマイクロコンピュータ』という）７３を主たる構成要素とし、液晶表示装置５の表示制御手段としての画像制御回路８１、スピーカ２１Ｌ・２１Ｒにより出音される音を制御する音源ＩＣ７８、増幅器としてのパワーアンプ７９、ＬＥＤランプ２９を駆動するＬＥＤ駆動回路７７を備えている。
【００４５】
サブマイクロコンピュータ７３は、主制御回路７１から送信された制御指令に従って制御動作を行うサブＣＰＵ７４と、副基板側記憶手段としてのプログラムＲＯＭ７５と、ワークＲＡＭ７６とを含む。尚、副制御回路７２は、クロックパルス発生回路、分周器、乱数発生器及びサンプリング回路を備えていないが、サブＣＰＵ７４の動作プログラム上で乱数サンプリングを実行するように構成されている。プログラムＲＯＭ７５は、サブＣＰＵ７４で実行する図１０に示す処理ルーチン等の制御プログラムや、その処理ルーチンで使用されるテーブル等を格納している。また、ワークＲＡＭ７６は、上記制御プログラムをサブＣＰＵ７４で実行するときの一時記憶手段として構成され、例えば、ゲーム回数やボーナスフラグ等が格納される。
【００４６】
画像制御回路８１は、画像制御ＩＣ８２、画像制御ワークＲＡＭ８３、画像ＲＯＭ８６、及びビデオＲＡＭ８７で構成される。画像制御ＩＣ８２は、サブマイクロコンピュータ７３で設定されたパラメータに基づき、画像制御プログラムに従って液晶表示装置５での表示内容を決定する。画像制御ワークＲＡＭ８３は、画像制御プログラムを画像制御ＩＣ８２で実行するときの一時記憶手段（バッファ）として構成される。画像ＲＯＭ８６は、画像を形成するためのドットデータを格納する。ビデオＲＡＭ８７は、画像制御ＩＣ８２で画像を形成するときの一時記憶手段として構成される。ＬＥＤ駆動回路７７は、サブＣＰＵ７４からの制御指令に基づいて、ＬＥＤランプ２９を制御する。音源ＩＣ７８は、パワーアンプ７９を制御し、スピーカ２１Ｌ・２１Ｒの音量を調節することができる。
【００４７】
（遊技状態）
以上のように構成された遊技機１は、『一般遊技状態』、『ＲＢ遊技状態』及び『ＢＢ一般遊技状態』からなる３種類の遊技状態を出現させる。これら「３種類」の各遊技状態は、基本的に、内部当籤する可能性のある役の種類、再遊技に内部当籤する確率及び入賞成立を実現することが可能なボーナスの種別、内部当籤と入賞成立との関係により区別される。
【００４８】
『一般遊技状態』は、基本的に、所謂「出球率」（遊技に賭けられた単位有価価値に対して遊技者に付与される有価価値）の期待値が「１」よりも小さい遊技状態であり、他の遊技状態と比べて遊技者にとって最も不利な遊技状態である。
【００４９】
『ＢＢ一般遊技状態』は、『一般遊技状態』において、ＢＢに内部当籤し、ＢＢに入賞した場合に発生する。ＢＢの入賞は、『一般遊技状態』において「赤７−赤７−赤７」又は「青７−青７−青７」が有効ラインに沿って並ぶことにより成立する。『ＢＢ一般遊技状態』は、３０回の小役ゲーム又は３回のＲＢ（レギュラーボーナス）を消化すると終了する。なお、『ＢＢ一般遊技状態』は、所定枚数のメダルの払い出しが完了すれば終了するようにしてもよい。
【００５０】
『ＲＢ遊技状態』は、『一般遊技状態』よりも出玉率の期待値が高く、他の遊技状態と比べて遊技者にとって最も有利な遊技状態である。『ＲＢ遊技状態』は、『一般遊技状態』又は『ＢＢ一般遊技状態』においてＲＢ（レギュラーボーナス）に入賞した場合に発生する。ＲＢの入賞は、一般遊技状態又はＢＢ一般遊技状態において「赤７−赤７−青７」が有効ラインに沿って並ぶことにより成立する。なお、『ＢＢ一般遊技状態』においてＲＢの入賞が成立することを、一般に『ＪＡＣＩＮ』と称し、その後のゲームを『ＪＡＣゲーム』と称す。なお、各遊技状態間の移行は、ボーナス図柄の組み合せが入賞ライン上に表示されたとき等により移行する。
【００５１】
（図柄組み合せと払い出し枚数）
次に、遊技状態と入賞成立を示す図柄組み合せとメダルの払い出し枚数との関係について説明する。一般遊技状態においては、『ＢＢ』と、『ＲＢ』と『再遊技（リプレイ）』と『スイカの小役』と『ベルの小役』と『上チリの小役』と『下チリの小役』とに入賞する可能性がある。『ＢＢ』は、「赤７−赤７−赤７」、又は、「青７−青７−青７」が有効ラインに沿って並ぶことにより成立する。『ＲＢ』は、「赤７−赤７−青７」が有効ラインに沿って並ぶことにより成立する。これらのメダルの払い出し枚数は「０枚」である。また、『再遊技（リプレイ）』は、「Ｒｅｐｌａｙ−Ｒｅｐｌａｙ−Ｒｅｐｌａｙ」が並ぶことにより成立する。再遊技の入賞が成立すると、投入したメダルの枚数と同数のメダルが自動投入されるので、遊技者はメダルを消費することなく次回のゲームを行うことができる。また、スイカ、ベル、上チリ、下チリの小役の場合、それぞれ６枚、１０枚、６枚、６枚のメダルが払い出される。
【００５２】
ＢＢ一般遊技状態では、『ＲＢ』と『スイカの小役』と『ベルの小役』と『上チリの小役』と『下チリの小役』とに入賞する可能性がある。また、ＲＢ遊技状態においては、『再遊技』、『スイカ』、『ベル』、『上チリ・下チリ』の小役に入賞する可能性がある。スイカ、ベル、上下チリの小役の場合、それぞれ６枚、１０枚、６枚のメダルが払い出される。
【００５３】
（主制御回路７１の動作）
上記の構成において、図７に示すメインルーチンのフローチャートを参照して、主制御回路７１のＣＰＵ３１の制御動作について説明する。
【００５４】
（メインルーチン）
初めに、ＣＰＵ３１は、遊技開始時の初期化を行う（Ａ１）。具体的には、ＲＡＭ３３の記憶内容の初期化、通信データの初期化等を行う。続いてゲーム終了時のＲＡＭ３３の所定の記憶内容を消去する（Ａ２）。具体的には、前回のゲームに使用されたＲＡＭ３３の書き込み可能エリアのデータの消去、ＲＡＭ３３の書き込みエリアへの次回のゲームに必要なパラメータの書き込み、次回のゲームのシーケンスプログラムの開始アドレスの指定等を行う。
【００５５】
次に、ＣＰＵ３１は、メダル投入処理を行う（Ａ３）。詳しくは後述するが、この処理で、投入メダルセンサ２２ＳやＢＥＴスイッチ１１Ｓ・１２Ｓからの入力があるまで待機状態となる。この後、メダル投入信号を副制御回路７２に送信すると共に、スタートレバー６の操作によりスタートスイッチ６Ｓがオンされたか否かを判定する（Ａ４）。
【００５６】
スタートスイッチ６Ｓがオンされてない場合には（Ａ４：ＮＯ）、Ａ４を繰り返すことにより入力待ちの状態となり、スタートスイッチ６Ｓがオンされた場合には（Ａ４：ＹＥＳ）、遊技開始信号を副制御回路７２に送信すると共に、抽籤用の乱数を抽出する（Ａ５）。そして、遊技状態監視処理を実行することによって、今回のゲームにおける遊技状態を確認する（Ａ６）。即ち、今回のゲームの遊技状態をＢＢ一般遊技状態、ＲＢ遊技状態及び一般遊技状態の何れかにセットする。
【００５７】
そして、確率抽籤処理を行い（Ａ７）、内部当籤役を決定する。続いて、停止テーブル群選択処理が実行される（Ａ８）。具体的には、内部当籤役の種類を用いて特定の停止テーブル群を選択する。かかる停止テーブル群は、後のＡ１０において、リール３Ｌ・３Ｃ・３Ｒを停止させる際に使用される。ここで、内部当籤役や、遊技状態、停止テーブル群、内部当籤役に対応する図柄に係る情報を含む遊技情報信号を副制御回路７２へ送信する。続いて、リール回転処理が行われる（Ａ９）。具体的には、リール３Ｌ・３Ｃ・３Ｒを回転させ、所定速度（例えば、定速回転）に達した際に、リール停止許可信号を副制御回路７２に送信する。リール停止許可信号には、所定速度に達した後、リール位置検出回路４７が内部当籤役に対応する図柄が有効ライン（具体的には、センターライン８ｃ）に位置したときに検出する検出信号が含まれる。
【００５８】
次に、リール回転停止処理が実行される（Ａ１０）。即ち、何れかの停止ボタン７Ｌ・７Ｃ・７Ｒが操作されたタイミングや自動停止タイマの値が「０」になったタイミングで滑りコマ数を決定するための滑りコマ数決定処理を行う。具体的には、Ａ９において決定（選択）された停止テーブル、停止操作位置及び停止制御位置に基づいて滑りコマ数を決定する。『滑りコマ数』は、停止ボタンが操作された後、リールが停止するまでの間に移動する図柄の数である（リールが停止するまでの間における図柄の移動量（移動距離）を示す）。なお、本実施の形態では『滑りコマ数』は「０」とする。即ち、停止ボタン７Ｌ・７Ｃ・７Ｒが操作されると同時にリールが停止する。続いて、滑りコマ数分、停止操作された停止ボタンに対応するリールを回転させてから停止させる。尚、停止ボタン７Ｌ・７Ｃ・７Ｒが操作され、対応するリールが停止する毎にリール停止信号（左、中、右）を副制御回路７２に送信する。また、全てのリールが停止したときに、全リール停止信号を副制御回路７２に送信する。
【００５９】
次に、ＣＰＵ３１は入賞判定を行う（Ａ１１）。入賞判定とは、透過液晶パネル５４を介して視認可能なリールの９つの図柄の停止態様に基づいて入賞役（入賞が成立した役）を識別する。具体的には、センターライン８ｃに沿って並ぶ図柄のコードナンバー及び入賞判定テーブルに基づいて入賞役を識別する。そして、入賞信号を副制御回路７２に送信する。この後、獲得したメダルのクレジット又は払出しを行う（Ａ１２）。具体的には、入賞成立によりメダルを獲得する場合は、払出枚数表示部１８にメダルの獲得枚数を表示する。そして、遊技者がＣ／Ｐボタン１４を切り替えることにより、獲得したメダルを遊技機１内にクレジットするか、メダル払出口１５からメダルを払い出すかを選択することができる。尚、クレジットしたメダルは、次ゲームでＢＥＴボタン１１・１２を押すことによりメダルを賭けることができる。
【００６０】
その後、後述の遊技状態移行処理を実行し、次ゲームの遊技状態のセットを行う（Ａ１３）。そして、Ａ２に戻り、上記動作を繰り返す。
【００６１】
（メダル投入処理ルーチン）
次に、メダル投入処理について説明する。ＣＰＵ３１は、図７のメインルーチンにおいて、Ａ２のゲーム終了時の初期化が終了すると、図８に示すメダル投入処理を実行する。
【００６２】
まず、ＢＥＴボタン１１・１２が操作されたか否かを判定する（Ｂ１）。ＢＥＴボタン１１・１２が操作されていなければ（Ｂ１：ＮＯ）、メダル投入口２２にメダルが投入されたか否かを判定する（Ｂ５）。メダルが投入されていなければ（Ｂ５：ＮＯ）、Ｂ１に戻る。メダルが投入されていれば（Ｂ５：ＹＥＳ）、即ち、投入メダルセンサ２２Ｓから信号を受信すると、投入処理を行う（Ｂ６）。具体的には、メダル投入口１５に投入された枚数分のメダルに応じて、入賞ラインを有効化し、スタートレバー６の操作を受付可能にする。また、副制御回路７２にメダル投入信号を送信する。そして、本ルーチンを終了し、図７のメインルーチンのＡ４に移行する。
【００６３】
一方、ＢＥＴボタン１１・１２が操作された場合（Ｂ１：ＹＥＳ）、ボーナスフラグがオンであるか否かを判定する（Ｂ２）。ボーナスフラグは、ＢＢやＲＢに内部当籤しているか、又は、ＢＢやＲＢの内部当籤役を持ち越している否かを判定するためのフラグである。ボーナスフラグがオンである場合（Ｂ２：ＹＥＳ）、所定時間待機する（Ｂ３）。そして、ＢＥＴボタンの操作処理を行う（Ｂ４）。具体的には、１−ＢＥＴボタン１１が押圧操作された場合は、クレジットされるメダルから、１枚又は２枚のメダルをゲームに賭ける。そして、１本又は３本の入賞ラインを有効化する。また、最大ＢＥＴボタン１２が押圧操作された場合は、クレジットされるメダルから、３枚のメダルをゲームに賭ける。そして、５本の入賞ラインを有効化する。このとき、副制御回路７２にメダル投入信号を送信する。そして、本ルーチンを終了し、図７のメインルーチンのＡ４に移行する。
【００６４】
このように、ボーナスフラグがオンの場合に、ＢＥＴボタン１１・１２が操作されると、操作されてから一定時間（例えば、２秒）は反応せず、一定時間後に、クレジットされているメダルが投入される。
【００６５】
一方、ボーナスフラグがオンでない場合（Ｂ２：ＮＯ）、ＢＥＴボタン１１・１２の操作処理を行い（Ｂ４）、本ルーチンを終了する。そして、図７のメインルーチンのＡ４に移行する。つまり、ボーナスフラグがオンでない場合は、ＢＥＴボタン１１・１２が操作されると、直ぐに反応するようになっている。
【００６６】
（遊技状態移行処理ルーチン）
次に、図９を参照して、遊技状態移行処理ルーチンについて説明する。メインルーチンのＡ１２の処理が終了すると、図９に示すように、まず、入賞役が「ＢＢ」であるか否かを判定する（Ｃ１）。入賞役がＢＢである場合（Ｃ１：ＹＥＳ）、即ち、有効ラインに「赤７−赤７―赤７」又は「青７―青７―青７」が並んだ場合、次ゲームの遊技状態をＢＢ一般遊技状態にセットし（Ｃ２）、ＢＢフラグがオンであれば、ＢＢフラグをオフにする（Ｃ３）。そして、本ルーチンを終了し、メインルーチンのＡ２に戻る。
【００６７】
入賞役がＢＢでない場合（Ｃ１：ＮＯ）、次に、入賞役がＲＢであるか否かを判定する（Ｃ４）。入賞役がＲＢである場合（Ｃ４：ＹＥＳ）、即ち、有効ラインに「赤７−赤７―青７」が並んだ場合、次ゲームの遊技状態をＲＢ遊技状態にセットし（Ｃ５）、ＲＢフラグがオンであれば、ＲＢフラグをオフにする（Ｃ６）。そして、本ルーチンを終了し、メインルーチンのＡ２に戻る。
【００６８】
一方、入賞役がＲＢでない場合（Ｃ４：ＮＯ）、内部当籤役が「ＢＢ」又は「ＲＢ」であるかを判定する（Ｃ７）。内部当籤役が「ＢＢ」又は「ＲＢ」である場合（Ｃ７：ＹＥＳ）、ＢＢフラグ又はＲＢフラグをオンにし（Ｃ８）、Ｂ９に移行する。一方、内部当籤役が「ＢＢ」又は「ＲＢ」でない場合（Ｃ７：ＮＯ）、Ｃ９に移行する。
【００６９】
Ｂ９において、現在の遊技状態が『ＢＢ一般遊技状態』又は『ＲＢ遊技状態』であるか否かを判定する（Ｃ９）。遊技状態が『ＢＢ一般遊技状態』又は『ＲＢ遊技状態』でない場合には（Ｃ９：ＮＯ）、本ルーチンを終了し、メインルーチンのＡ２に戻る。遊技状態が『ＢＢ一般遊技状態』又は『ＲＢ遊技状態』である場合には（Ｃ９：ＹＥＳ）、ボーナス（ＢＢ，ＲＢ）の『遊技数チェック処理』を行う（Ｃ１０）。この『遊技数チェック処理』では、ＲＢ遊技状態が発生した回数、ＢＢ一般遊技状態のゲーム回数、ＲＢ遊技状態における入賞回数、及びＲＢ遊技状態におけるゲーム回数をチェックすると共に、ＢＢ一般遊技状態及びＲＢ遊技状態間における遊技状態の移行（セット）を行う。
【００７０】
次に、ボーナスの終了時であるか否かを判定する（Ｃ１１）。具体的には、ＢＢの入賞が成立した後では、３回目のＲＢ遊技状態において入賞回数が８回又はゲーム回数が１２回であるか、又はＢＢ一般遊技状態においてゲーム回数が３０回であるか否かを判別する。また、「赤７−赤７−青７」が有効ラインに沿って並ぶことによりＲＢの入賞が成立した後では、ＲＢ遊技状態において入賞回数が８回又はゲーム回数が１２回であるか否かを判別する。この結果、ボーナスの終了時でないと判定した場合には（Ｃ１１：ＮＯ）、本ルーチンを終了し、メインルーチンのＡ２に戻る。一方、ボーナスの終了時であると判定した場合には（Ｃ１１：ＹＥＳ）、ボーナス終了信号を副制御回路７２に出力し（Ｃ１２）、本ルーチンを終了し、メインルーチンのＡ２に戻る。
【００７１】
（副制御回路の動作）
次に、上記の副制御回路７２の制御動作について説明する。副制御回路７２のサブＣＰＵ７４は、液晶表示装置５を制御して、キャラクタ等の演出画像を表示したり、スピーカ２１Ｌ・２１Ｒを制御して、演出音を出力したりする処理を行うと共に、図１０に示す報知処理ルーチンを実行する。
【００７２】
サブＣＰＵ７４は、主制御回路７１から遊技開始信号を受信すると、図１０に示す処理ルーチンを実行し、まず、ボーナスフラグがオンであるか否かを判定する（Ｓ１）。このボーナスフラグは、ワークＲＡＭ７６に記憶されており、主制御回路７１から内部当籤信号や入賞信号を受信する毎に、オン・オフの切り替えが行われる。ボーナスフラグがオンである場合（Ｓ１：ＹＥＳ）、ワークＲＡＭ７６に記憶されるゲーム回数をカウントアップし（Ｓ２）、そのゲーム回数が５回となったか否かを判定する（Ｓ３）。
【００７３】
ゲーム回数が５回となった場合（Ｓ３：ＹＥＳ）、図２（ａ）に示す、第１報知画像を表示し（Ｓ４）、本ルーチンを終了する。第１報知画像が表示されることで、遊技者は、ＢＥＴボタンの反応が故意に遅くなっていることを把握でき、遊技の何かが関係していることを把握できる。一方、ゲーム回数が５回でない場合（Ｓ３：ＮＯ）、次に、ゲーム回数が１０回となったか否かを判定する（Ｓ５）。ゲーム回数が１０回でない場合（Ｓ５：ＮＯ）、本ルーチンを終了する。ゲーム回数が１０回となった場合（Ｓ５：ＹＥＳ）、図２（ｂ）に示すように、第２画像を表示し（Ｓ６）、本ルーチンを終了する。第２画像が表示されることで、遊技者は、ボーナス（ＢＢ又はＲＢ）に入賞可能であることを把握できるようになる。
【００７４】
一方、ボーナスフラグがオンでない場合（Ｓ１：ＮＯ）、ゲーム回数をリセットし（Ｓ７）、本ルーチンを終了する。
【００７５】
即ち、ボーナスフラグがオンされると、ＢＥＴボタン１１・１２の反応を遅らせることで、ボーナスに内部当籤している（持ち越しを含む）ことを報知しているが、ボーナスフラグがオンの状態で、５回のゲームが消化されると、間接的に、遊技情報が報知されていることを、遊技者に気付かせるようになっている。そして、さらにその状態で１０回のゲームが消化されると、直接的に遊技情報を報知するようになっている。このように、遊技者に遊技情報を間接的に報知していても、遊技者がそれに気が付かない場合があるため、段階的にそのことを気が付かせるようになっている。
【００７６】
（本実施形態の概要）
以上、説明したように、本実施の形態は、遊技の結果に基づいて、有価価値（メダル等）を払い出す有価価値払出手段（ホッパー４０やＣＰＵ３１等）と、遊技に関する遊技情報（ボーナスフラグのオン・オフ等）を記憶する遊技情報記憶手段（ワークＲＡＭ７６等）と、記憶した遊技情報を、間接的に報知する遊技情報報知手段（ＢＥＴボタン１１）と、遊技情報報知手段により遊技情報が報知された後、所定条件が成立（所定回数のゲームの消化）すると、遊技情報報知手段により遊技情報が報知されていることを、遊技者に示唆する情報示唆手段（液晶表示装置５等）とを備えた構成にされている。
【００７７】
この構成によると、遊技者に間接的に遊技情報が報知された後に、所定条件が成立すると、遊技情報が報知されていることを遊技者に示唆するようになっている。これにより、遊技者が、遊技情報が間接的に報知されているがために、そのことに気が付かない場合であっても、遊技情報が報知されていることを遊技者に示唆することで、遊技者にそのことを気が付かせることができる場合がある。その結果、遊技者が遊技情報を把握することで、より多くの有価価値を獲得できるようになる場合がある。
【００７８】
また、本実施の形態は、遊技情報報知手段により遊技情報が報知された後の単位遊技の回数をカウントするカウント手段（サブＣＰＵ７４等）と、単位遊技の回数が、所定回数以上であるか否かを判定する回数判定手段（サブＣＰＵ７４等）とをさらに備え、所定条件は、単位遊技の回数が所定回数以上となった場合であるとした構成にされている。
【００７９】
この構成によると、遊技情報が間接的に報知された後、所定回数の単位遊技を消化すると、遊技者に遊技情報が報知されていることを示唆するようになっている。これにより、遊技者が、遊技情報が報知されていることに気が付かないで遊技を行っていても、所定回数の遊技をこなせばそのことに気が付く場合がある。従って、より多くの遊技を行う遊技者に、より多くの利益を与えることができるような遊技機とすることができる場合がある。
【００８０】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００８１】
例えば、上述の実施の形態では、ボーナスフラグのオン・オフの情報を報知しているが、報知する遊技情報は、これに限定されることはない。例えば、内部当籤を決定する際の当籤確率を６段階に設定する設定スイッチの設定値を報知するようにしてもよい。具体的には、ＢＥＴボタンの反応時間と、設定スイッチとを関連付けて、ＢＥＴボタンを操作してから反応するまでの時間が２秒であれば、設定値は「２」であると言った報知態様としてもよい。
【００８２】
また、遊技情報を報知する方法は、ＢＥＴボタンの反応時間で報知するだけでなく、例えば、メダルが払い出されるタイミングによって、遊技情報を報知するようにしてもよい。具体的には、ホッパー４０を制御して、メダルを１秒間隔で払い出すことで、ボーナスが内部当籤していることを報知するようにしてもよい。この場合、ボーナスフラグがオンの状態で、所定回数のゲームが消化されると、液晶表示装置５に「メダルの払い出しが遅くないですか？」等の文字を表示して、遊技者に、遊技情報が報知されていることを気付かせるようにしてもよい。
【００８３】
さらに、上述の実施の形態では、図２に示すように、２段階に分けて、遊技者に遊技情報が報知されていることを示唆しているが、２段階以上に分けて示唆してもよい。例えば、ボーナスフラグがオンの状態で、所定回数のゲームが消化されると、「何れかのボタンの操作反応が遅くないですか？」と表示し、続いて、「ＢＥＴボタンに注目してください」等と表示する。このように、遊技者は、どのように遊技情報が報知されているか、どの内容が報知されているかを徐々に理解するようになる。これにより、遊技に不慣れな遊技者は、遊技機の演出等を理解するためのマニュアルとすることができる。
【図面の簡単な説明】
【００８４】
【図１】実施例の遊技機の斜視図。
【図２】（ａ）第１報知画像が表示された液晶表示装置の正面図。（ｂ）第２報知画像が表示された液晶表示装置の正面図。
【図３】液晶表示装置の概略構成を示す斜視図である。
【図４】液晶表示装置の一部の構成の展開図である。
【図５】実施例の電気回路の構成を示すブロック図。
【図６】図５に示した副制御回路の電気回路の構成を示すブロック図。
【図７】メインルーチンのフローチャートを示す図。
【図８】メダル投入処理ルーチンのフローチャートを示す図。
【図９】遊技状態移行処理ルーチンのフローチャートを示す図。
【図１０】副制御基板の動作内容を示す、段階報知処理ルーチンのフローチャートを示す図。
【符号の説明】
【００８５】
１    遊技機
２    キャビネット
２ａ  パネル表示部
３Ｌ，３Ｃ，３Ｒ  リール
５    液晶表示装置
６    スタートレバー
７Ｌ，７Ｃ，７Ｒ  停止ボタン
１０  台座部
１１  １−ＢＥＴボタン
１２  最大ＢＥＴボタン
１４  Ｃ／Ｐボタン
１５  メダル払出口
１６  メダル受け部
２１Ｌ，２１Ｒ  スピーカ
２２  メダル投入口
【図１】
2008048851.tif 000003
【図２】
2008048851.tif 000004
【図３】
2008048851.tif 000005
【図４】
2008048851.tif 000006
【図５】
2008048851.tif 000007
【図６】
2008048851.tif 000008
【図７】
2008048851.tif 000009
【図８】
2008048851.tif 000010
【図９】
2008048851.tif 000011
【図１０】
2008048851.tif 000012